(57)【要約】 【課題】  より明るい照射光を得ながら、同時に電磁波ノイズによる無線やラジオに及ぼす雑音障害を回避することができる車両用照明器具を提供する。【解決手段】  蛍光ランプ器具のランプソケット３に装着されたＵ字状の蛍光ランプ４の全体に電磁波ノイズ防止シート５が接近して被される。この電磁波ノイズ防止シート５はラピッドスタート点灯方式の近接導体を兼ねるものであり、金具６によりインバータカバー６に電気的に接続される。電磁波ノイズ防止シート５は、透光性フィルム、その上部に貼り付けられた薄膜上の透光性金属フィルム、およびその上部に貼り付けられた、酸化インジウムスズからなる開口率が９５％の金網から形成される。【選択図】          図１
2006066210.tif 000002
【特許請求の範囲】
【請求項１】
車両に取付られる照明器具であって、
蛍光ランプと、
前記蛍光ランプの全体を接触あるいは近接して覆っており、前記照明器具の金属部分に電気的に接続された電磁波ノイズ防止部品を備えた車両用照明装置において、
前記電磁波ノイズ防止部品は、
透光性の金属薄膜と、
前記金属薄膜の上面に貼り付けられた開口率が約９５％を有する非透光性の厚膜金属膜と、
から形成されることを特徴とする車両用照明器具。
【請求項２】
前記電磁波ノイズ防止部品の前記透光性の金属薄膜の下面あるいは前記厚膜金属膜の上面の少なくともいずれか一方に貼り付けられた透光性の誘電体膜が形成される、
ことを特徴とする請求項１に記載の車両用照明器具。
【発明の詳細な説明】
【技術分野】
【０００１】
本発明は、例えば、タクシー等の車両のルーフに取付けられ、社名、広告文字等を表示する車両用照明器具に関する。
【背景技術】
【０００２】
従来の技術として、特許文献１に開示された以下のような考案がある。即ち、蛍光ランプと、これを点灯する高周波電力を供給するインバータを、アースされた金属ケースに収容した蛍光ランプ器具が用いられ、この蛍光ランプは、蛍光ランプ器具側を除いてその全体が接近した打抜金網（パンチングメタル）で覆われ、その打抜金網は蛍光ランプ器具の金属ケースに電気的に接続される。この打抜金網の開孔率は約７０％程度であり、白色塗装するのが好ましいとされていた。この打抜金網はインバータノイズのシールドとして作用する他にラピッドスタート点灯方式における近接導体として兼ねるものである。また、この応用技術として、透明な樹脂フィルムに格子状の金属膜をコーティングしたものを、蛍光ランプに巻き付け、これを金属ケースにアースしたものも実用化されている。
【０００３】
上述の従来技術は、光源として蛍光ランプを使用した場合、インバータ回路で高電圧・高周波点灯させることによって発生する電磁波ノイズが、タクシー無線やラジオに対してノイズを与え、雑音障害を与えるという問題を解決するためになされたものである。その効果として、大幅な明るさ低減を招くことなく、タクシー無線やラジオに対する雑音障害を防止することが可能となる。また、上述したように、打抜金網はラピッドスタート点灯方式における近接導体として兼ねるため、打抜金網とは別に近接導体を設ける必要はなく、その分部品点数を削減することができる。
【０００４】
特許文献を以下に記載する。
【特許文献１】実公平６−２８７２３号公報の［従来技術］および［課題を解決するための手段］
【発明の開示】
【発明が解決しようとする課題】
【０００５】
上述した従来の技術においては、打抜金網の開孔率は約７０％程度であり、白色塗装されることによって、大幅な明るさ低減はないものの、より明るい光の照射が望まれていた。また、電磁波ノイズによる無線やラジオに及ぼす雑音障害が一定の範囲内で解決されてはいたが、その障害をほぼ完全に回避する方策も望まれていた。
【０００６】
そこで本発明は、上述の問題を解決するためになされたものであって、より明るい照射光を得ながら、同時に電磁波ノイズによる無線やラジオに及ぼす雑音障害を回避することができる車両用照明器具を提供することを目的とする。
【課題を解決するための手段】
【０００７】
前記目的を達成するために、本発明のうちで請求項１に記載した車両用照明器具は、
車両に取付られる照明器具であって、
蛍光ランプと、
前記蛍光ランプの全体を接近して覆っており、前記照明器具の金属部分に電気的に接続された電磁波ノイズ防止部品を備えた車両用照明装置において、
前記電磁波ノイズ防止部品は、
透光性の金属薄膜と、
前記金属薄膜の上面に貼り付けられた開口率が約９５％を有する非透光性の厚膜金属膜と、
から形成されることを特徴とする。
【０００８】
また、請求項２に記載した車両用照明器具は、請求項１に記載した車両用照明器具に加えて、
前記電磁波ノイズ防止部品の前記透光性の金属薄膜の下面あるいは前記厚膜金属膜の上面の少なくともいずれか一方に貼り付けられた透光性の誘電体膜が形成される、
ことを特徴とする。
【発明の効果】
【０００９】
請求項１に記載した車両用照明器具によれば、
前記電磁波ノイズ防止部品は、前記厚膜金属膜の開口率が約９５％であるため、充分な明るさを得ることができると共に、前記透光性の金属薄膜に前記厚膜金属膜を貼り合わせたことによって、導電性の良好な膜を作成することが可能になる。その結果、より明るい照射光を得ながら、同時に電磁波ノイズによる無線やラジオに及ぼす雑音障害を回避することができる。
【００１０】
請求項２に記載した車両用照明器具によれば、
前記電磁波ノイズ防止部品には、前記透光性の金属薄膜の下面あるいは前記厚膜金属膜の上面の少なくともいずれか一方に貼り付けられた透光性の誘電体膜が形成されるので、光を透過させると共にこれらの膜を保護することが可能となる。
【００１１】
以上の発明により、より明るい照射光を得ながら、同時に電磁波ノイズによる無線やラジオに及ぼす雑音障害を回避することができる車両用照明器具を提供することができる。
【発明を実施するための最良の形態】
【００１２】
以下、本発明の車両用照明器具について具体化した実施形態を図１〜４を参照して詳細に説明する。
【実施例】
【００１３】
取付台１上に蛍光ランプ器具のアースされた金属ケースであるインバータカバー２が取り付けられる。インバータカバー２内には、蛍光ランプを点灯するための高周波電力を供給するインバータ（図示せず）が収容されている。蛍光ランプ器具は、インバータ、インバータカバー２およびインバータカバー２上に取り付けられたランプソケット３よりなり、ランプソケット３にＵ字状の蛍光ランプ４が装着される。
【００１４】
本発明においては、蛍光ランプ器具側を除いて蛍光ランプ４の全体に電磁波ノイズ防止シート５が接近して被される。この電磁波ノイズ防止シート５はラピッドスタート点灯方式の近接導体を兼ねるものであり、金具６によりインバータカバー６に電気的に接続される。
【００１５】
図４は、図３のＡ部の詳細を示したものであり、（ａ）はその正面図、（ｂ）は（ａ）のＢ−Ｂ断面図を示す。透光性フィルム５ａはポリエチレン樹脂（誘電体膜）からなり、その上部に貼り付けられた薄膜上の透光性金属フィルム５ｂは、酸化インジウムスズ（ＩＴＯ：Ｉｎｄｉｕｍ ｔｉｎ ｏｘｉｄｅ）からなる。透光性金属薄フィルム５ｂの上部には、開口率が９５％の金網５ｃが貼り付けられている。
【００１６】
この構成によれば、開口率が９５％の金網５ｃを持つ電磁波ノイズ防止シート５を被せているが、その照度減衰は約５％に過ぎず、充分な照度を得ることができる。しかも、金網５ｃと透光性金属薄フィルム５ｂとによる遮蔽効果により、インバータのスイッチングによるノイズはほとんど現れない。また、透光性フィルム５ａは、薄膜上の透光性金属フィルム５ｂを保護することができる。
【００１７】
なお、本発明は上記の実施例に限定するものではなく、本発明の要旨を変更しない範囲で様々な実施が可能である。例えば、透光性フィルム５ａはポリエチレン樹脂に限定されるものではなく、ポリエチレンテレフタレート（ＰＥＴ）等の合成樹脂でもよい。また、透光性金属薄フィルム５ｂは、酸化インジウムスズとしたがこれに限定しななくてもよい。また、非透光性の厚膜金属膜として、金網を用いたが、これに限らず、打抜金網（パンチングメタル）でもよいし、従来と同じく、これに白色塗装等を施してもよい。なお、本実施例では、非透光性の厚膜金属膜の開口率を９５％としたが、９０％〜９８％においてこの効果が発揮されるものである。また、透光性フィルム５ａは、透光性金属薄フィルム５ｂの下部に貼り付けたが、図４（ｃ）に示すように金網５ｃの上部に貼り付けても良い。このようにすれば、金網５ｃを保護することができる。また、図４（ｃ）のように、透光性金属薄フィルム５ｂと金網５ｃとを挟むようにして上下両面に貼り付けてもよい。このようにすれば、透光性金属薄フィルム５ｂおよび金網５ｃの両方を保護することができる。
【００１８】
本実施例の蛍光ランプはＵ字型であるが、直管型の蛍光ランプにおいては、電磁波ノイズ防止シート５を蛍光ランプに巻き付け、これを金属ケース等にアースして使用することも可能である。
【図面の簡単な説明】
【００１９】
【図１】本実施例の車両用照明器具の正面図である。
【図２】本実施例の車両用照明器具の平面図である。
【図３】本実施例の車両用照明器具の側面図である。
【図４】本実施例の車両用照明器具の部品である電磁波ノイズ防止シートの構造図である。
【符号の説明】
【００２０】
１・・・取付台、２・・・インバータカバー、３・・・ランプソケット、４・・・蛍光ランプ、５・・・電磁波ノイズ防止シート、５ａ・・・透光性フィルム、５ｂ・・・透光性金属フィルム、５ｃ・・・金網、６・・・金具。
【図１】
2006066210.tif 000003
【図２】
2006066210.tif 000004
【図３】
2006066210.tif 000005
【図４】
2006066210.tif 000006